(57)【要約】本方法は、変形可能な壁を有する容器内にインクを供給し、インク量が注入されるタンクを備えた分配システム内に容器を置き、容器を開口するための手段により固定された変形可能な壁を備えた容器内にインクを供給し、開口手段を用いて容器を開ける工程を含み、それにより孔を規定し、圧力兼扁平化手段を使用して、前記容器の壁に対して、及び前記孔に対して圧力を作用させる。容器の壁の変形する性質により、及び壁の扁平化の結果として、結合した圧力作用により、インクは孔に抗して容器内に含まれたインクを押し、この孔を通ってインク量が流出する。
2006523554.tif 000002
【特許請求の範囲】
【請求項１】
インク量が注入されるタンクを備えた、容器内にインクを供給する工程と、分配システムを有する容器を備えたタイプのインクを分配する方法において、
以下の工程、すなわち
−容器開口手段を備えた、変形可能な壁を有する容器内にインクを供給する工程、
−分配システムにおいて、満杯のあるいは一部が満たされた容器を支持する工程、
−開口を決定する開口手段を使用して、容器を開口する工程、および
−圧力兼扁平化手段を使用して、容器壁に対して、及び前記出口に対して、圧力を作用させる工程を備え、
したがって、扁平化させることにより、開口部に対して、変形可能なインク容器の壁を変形させることができるので、結合した圧縮作用はインク容器内に含まれたインクを押し、それによりインク量は前記タンクの方へ流出することを実質的に特徴とする方法。
【請求項２】
圧力を作用させる工程が、前もって決めた時間の間に行われ、前記インク量が、前記前もって決めた時間に従うことを特徴とする請求項１記載の方法。
【請求項３】
分配時間制御工程を備え、前記前もって決めた時間は制御手段により制御されていることを特徴とする請求項２記載の方法。
【請求項４】
前記時間制御工程が、出口から流出するインク量の重量の測定を含んでいることを特徴とする請求項３記載の方法。
【請求項５】
分配時間制御工程が、タンク内において、出口から流出する分配される量の流体の高さ測定を含んでいることを特徴とする請求項３記載の方法。
【請求項６】
出口が分配システムにおいて下方位置に固定されており、前記圧力が容器の変形可能な壁に対して、下方に向かって作用していることを特徴とする請求項１〜５のいずれか一つに記載の方法。
【請求項７】
圧力を作用させる工程が、プランジャーを使用した圧力作用を含んでいることを特徴とする請求項１〜６のいずれか一つに記載の方法。
【請求項８】
圧力を作用させる工程が、少なくとも二つの対抗するシリンダの作用による圧力作用を含んでおり、この二つの対抗するシリンダが、容器の壁に対して下方に向かって垂直に配置されていることを特徴とする請求項１〜７のいずれか一つに記載の方法。
【請求項９】
圧力を作用させる工程が、少なくとも一つのシリンダを使用した圧力作用を含んでおり、このシリンダが、容器の変形可能な壁に対して、および分配システムの変形不能な固定された壁に対して下方に向かって、同時にかつ垂直に移動することを特徴とする請求項１〜７のいずれか一つに記載の方法。
【請求項１０】
圧力を作用させる工程が、手動のプランジャーあるいはレバーにより作用する連接棒−ハンドル機構のハンドルによる、容器の変形可能な壁に対する、および分配システムの固定された変形不能な壁に対する、圧力作用を同時に含んでいることを特徴とする請求項１〜７のいずれか一つに記載の方法。
【請求項１１】
容器の壁が変形可能であることを特徴とする請求項１〜１０のいずれか一つに記載の方法で使用されるべきインク分配用の容器。
【請求項１２】
収容されたインクを分配するための出口を備えていることを特徴とする請求項１１記載の容器。
【請求項１３】
出口開口手段を備えていることを特徴とする請求項１２記載の容器。
【請求項１４】
前記開口手段がキャップを備えていることを特徴とする請求項１３記載の容器。
【請求項１５】
開口手段が、“プッシュプル”タイプの装置を備えており、出口を取囲んでいる部材を引っ張るとこの装置は開き、前記部材を押すとこの装置は閉じるように構成されていることを特徴とする請求項１３記載の容器。
【請求項１６】
出口の分配システムの固定された部分への接続手段を備えていることを特徴とする請求項１１〜１５のいずれか一つに記載の容器。
【請求項１７】
開口手段が下方弁を備え、この下方弁の弁本体が容器の内側に接続する内部空域を備えており、弁の封止部材が、最大開口位置と最大閉鎖位置の間で移動可能なキャップであり、この場合封止部材の広い底部が、容器を閉じている弁出口とほぼ同じ高さであることを特徴とする請求項１１〜１５のいずれか一つに記載の容器。
【請求項１８】
封止部材が作動ロッドに連結しており、この作動ロッドが、弁本体の前記内部円筒空域の内部を貫通しており、かつタペットによりバネの作用に対して作動する
ように構成されていることを特徴とする請求項１７記載の容器。
【請求項１９】
インク容器用のサポート手段と、インク分配手段と、タンクを備え、インク量がインク容器から注入される装置のタイプの、請求項１〜１０のいずれか一つによる方法を実施するための、及び請求項１１〜１８のいずれか一つによる容器と協働して使用されるためのインク分配装置において、
この装置が、容器出口開口手段を備えており、インク分配手段が容器の変形可能な壁に対しておよび前記容器出口に対して、圧力を作用させる手段を備えており、したがって、扁平化させることにより、開口部に対して、変形可能なインク容器の壁を変形させることができるので、結合した圧縮作用はインク容器内に含まれたインクを押し、それによりインク量は前記タンクの方へ流出するように構成されていることを特徴とするインク分配装置。
【請求項２０】
容器上において、圧力兼扁平化手段のための作動時間制御手段を備えていることを特徴とする請求項１９記載の装置。
【請求項２１】
前記作動時間制御手段が、容器出口から流出するインク量の重量を測定するための手段を備えていることを特徴とする請求項２０記載の装置。
【請求項２２】
前記作動時間制御手段が、タンク内において、出口から流出するインク量の分配された流体の高さ測定手段を備えていることを特徴とする請求項２０または２１に記載の装置。
【請求項２３】
開口手段が、下方位置に配置されており、圧力兼扁平化手段が、容器の変形可能な壁に対して下方に向かって圧力を作用させるのに適合していることを特徴とする請求項１９〜２２のいずれか一つに記載の装置。
【請求項２４】
前記圧力兼扁平化手段が、開口部に対して容器を変形させる際に作動するプランジャーを備えていることを特徴とする請求項１９〜２３のいずれか一つに記載の装置。
【請求項２５】
前記圧力兼扁平化手段が、少なくとも二つの対抗するシリンダを備え、この二つのシリンダが、容器の変形可能な壁に対して、および開口部に対して、垂直にかつ互いに並列に移動するように構成されていることを特徴とする請求項１９〜２３のいずれか一つに記載の装置。
【請求項２６】
前記圧力兼扁平化手段が、少なくとも一つのシリンダを備え、このシリンダが、容器の変形可能な壁に対して、分配システムの固定された変形不能な壁に対しておよび開口部に対して下方に向かって、同時にかつ垂直に移動するように構成されていることを特徴とする請求項１９〜２３のいずれか一つに記載の装置。
【請求項２７】
前記圧力兼扁平化手段が、プランジャーにより作動する連接棒−ハンドル機構のハンドルを備え、このプランジャーが、容器の変形可能な壁に対して、分配システムの固定された変形不能な壁に対しておよび開口部に対して圧力を同時に作用させるのに適合していることを特徴とする請求項１９〜２３のいずれか一つに記載の装置。
【請求項２８】
前記圧力兼扁平化手段が、少なくとも一つのシリンダにより作動する板を備え、この板が容器の変形可能な壁に対して、および分配システムの固定された変形不能な壁に対して、圧力を同時にかつ垂直に作用させるように構成されていることを特徴とする請求項１９〜２３のいずれか一つに記載の装置。
【発明の詳細な説明】
【技術分野】
【０００１】
本発明は、インクを分配するための方法及び装置、ならびにこの方法及び装置と協働して使用するためのインク容器に関する。
【０００２】
本発明の方法は、容器内にインクを供給する工程と、タンクを備えた分配システム内に容器を配置する工程とを備えたタイプであり、インク量が注入されるが、その一方で、装置はインク容器用の支持手段とインク分配手段とタンクを備えたタイプであり、インク量がインク容器から注入される。
【０００３】
本発明は、同様にインクと、塗料と、塗料を製造するための基本染料に適用可能である。
【背景技術】
【０００４】
特に印刷機械における、および主たるベースから塗料混合物を製造するためのインクブロックおよびシステムにおけるインクの供給は、従来、染料あるいは塗料用のタンクから行われており、このタンクから、ポンプあるいは重力により、染料あるいは塗料が、分配されるべき分配器へ、あるいはある場合にはインクブロックへ、あるいはその他の場合には両者の混合体へ搬送される。
【０００５】
今日、インクあるいは塗料は、主に缶型の容器に同梱された状態で提供され、そこから従来は主としてスパチュラを使用して前記容器へ運搬される。同様に、塗料を製造するための主要ベースの混合を、主に手作業で行ない、各染料の想定量を缶から容器内へ事前に供給する。
【０００６】
これらのインクと主たるベースのための容器として、缶をほとんど共通に使用することは、これら従来の容器の使用に端を発する第一のタイプの問題を伴う。一方では、環境保護必要条件の理由から一度使用されると、これらの従来のタイプの容器は、強制的にリサイクルされるかあるいは不要となり、それにより空の缶の重量／体積が大きいために、リサイクルプラントへの移送コストあるいはゴミ捨て場への移送コストはかなり上がり、したがって印刷の最終コストあるいは製造された塗料の最終コストが上がる。またその一方では、缶の処理は、製造工程全体においては重要な障害を想定し、かつ重要な障害をより労働集約的にし、このことはさらにユーザーにとっての最終コストにマイナスに跳ね返る。
【０００７】
別のタイプの問題は、製品の分配に固有である。したがって、容器からインクあるいは塗料を自動的かあるいは半自動的に分配するシステムの多くの実施形態が存在し、この容器から、インクあるいは塗料がロードセルを備えた下側容器に分配される。いったん下側容器が前もって決められた重量の染料を捕捉すると、注入を停止させるように上部タンク弁の閉鎖を命令する。塗料製造の場合、この操業は、混合物が主たるベースの各々一つから所望の割合で形成されるまで、主たるベースの各々一つ毎に繰り返される。
【０００８】
これら現在の自動あるいは半自動のシステムが正確な機能性を備えているにもかかわらず、システムは問題および欠点が完全になくならない。これらの問題および欠点の中にあって、われわれは、周知の複雑さと、価格が高いことと、弁が閉じた際に最後の滴りが生じ、それにより分配の精度が下がり、特にタンク内の取り付け品が汚れ、その際乾いた残留物が残り、次の操業を遅らせるという事実を強調する。
【０００９】
ＵＶ染料の場合、付加的な光開始添加剤を含んでいるので、ポンプを必要とする場合、ポンプ内で発生する摩擦が染料を傷めるおそれがあるという付加的問題が起こる。
【発明の開示】
【発明が解決しようとする課題】
【００１０】
本発明の課題は、従来技術で述べた先の問題全てに対する解決策を同時に提供することにある。
【課題を解決するための手段】
【００１１】
前記課題に関して、本発明の第一の分野によれば、本発明の対象は、
着想が新しくかつ機能的である、最初に示したタイプのインクを分配するための方法であり、この方法は、以下の工程、すなわち
−容器開口手段を備えた、変形可能な壁を有する容器内にインクを供給する工程、
−分配システムにおいて、満杯のあるいは一部が満たされた容器を支持する工程、
−開口を決定する開口手段を使用して、容器を開口する工程、および
−圧力兼扁平化手段を使用して、容器壁１，２，３，４に対して、及び前記出口に対して、圧力を作用させる工程を備え、
したがって、扁平化させることにより、開口部に対して、変形可能なインク容器１，２，３，４の壁を変形させることができるので、結合した圧縮作用はインク容器１，２，３，４内に含まれたインクを押し、それによりインク量は前記タンクの方へ流出することを実質的に特徴とする。
【００１２】
本発明の方法の他の特徴によれば、圧力を作用させる工程は、前もって決めた時間の間に行われ、前記インク量は、前記前もって決めた時間に従う。
【００１３】
本方法は、分配時間制御工程を備え、前記前もって決めた時間は制御手段により制御されている。
【００１４】
前記制御手段は、出口から流出するインク量の重量の測定を含んでいるのが好ましい。
【００１５】
さらに、分配時間制御工程は、タンク内において、出口から流出する分配される量の流体の高さ測定を含んでいる。
【００１６】
本発明の方法の他の特徴によれば、出口は分配システムにおいて下方位置に固定されており、前記圧力は容器の変形可能な壁に対して、下方に向かって作用している。
【００１７】
第一の好ましい変形において、圧力を作用させる工程は、プランジャーを使用した圧力作用を含んでいる。
【００１８】
第二の好ましい変形において、圧力を作用させる工程は、少なくとも二つの対抗するシリンダの作用による圧力作用を含んでおり、この二つの対抗するシリンダは、容器の壁に対して下方に向かって垂直に配置されている。
【００１９】
第三の好ましい変形において、圧力を作用させる工程は、少なくとも一つのシリンダを使用した圧力作用を含んでおり、このシリンダは、容器の変形可能な壁に対して、および分配システムの変形不能な固定された壁に対して下方に向かって、同時にかつ垂直に移動する。
第四の好ましい変形において、圧力を作用させる工程は、手動のプランジャーあるいはレバーにより作用する連接棒−ハンドル機構のハンドルによる、容器の変形可能な壁に対する、および分配システムの固定された変形不能な壁に対する、圧力作用を同時に含んでいる。
【００２０】
本発明の第二の側面によれば、開示された方法で使用されるための、インクを分配するために開示された容器は、容器の壁が変形可能であることを特徴とする。
【００２１】
本発明によれば、容器は収容されたインクを分配するための出口を備えていてもよい。
【００２２】
さらに本発明の容器は、出口開口手段を備えていてもよい。
【００２３】
開口手段の第一の変形において、開口手段はストッパを備えている。
【００２４】
開口手段の第二の変形において、開口手段は“プッシュプル”として知られたタイプの装置を備えており、出口を取囲んでいる部材を引っ張るとこの装置は開き、前記部材を押すとこの装置は閉じる。  
【００２５】
さらに、本発明による容器は、出口の分配システムの固定された部分への接続手段を備えていてもよい。
【００２６】
開口手段の他の変形において、開口手段は下方弁を備え、この下方弁の弁本体は容器の内側に接続する内部空域を備えており、弁の封止部材は、最大開口位置と最大閉鎖位置の間で移動可能なキャップであり、この場合封止部材の広い底部は、容器を閉じている弁出口とほぼ同じ高さである。
【００２７】
前記の場合、封止部材は作動ロッドに連結しているのが好ましく、この作動ロッドは、弁本体の前記内部円筒空域の内部を貫通しており、かつタペットによりバネの作用に対して作動する。
【００２８】
本発明の第三の側面において、装置は前述の方法を実施するための、かつ前述の容器と協働して使用されるためのインク分配のために開示されている。この装置は、容器出口開口手段を備えており、インク分配手段が容器の変形可能な壁に対しておよび前記容器出口に対して、圧力を作用させる手段を備えており、したがって、扁平化させることにより、開口部に対して、変形可能なインク容器の壁を変形させることができるので、結合した圧縮作用はインク容器内に含まれたインクを押し、それによりインク量は前記タンクの方へ流出することを実質的に特徴とする。
【００２９】
別の特徴によれば、装置は容器上において、圧力兼扁平化手段のための作動時間制御手段を備えている。
【００３０】
作動時間制御手段は、容器出口から流出するインク量の重量を測定するための手段を備えているのが好ましい。
【００３１】
さらに、作動時間制御手段は、タンク内において、出口から流出する量の分配された流体の高さ測定手段を備えているのが好ましい。
【００３２】
好ましい実施形態において、開口手段は、下方位置に配置されており、圧力兼扁平化手段は、容器の変形可能な壁に対して下方に向かって圧力を作用させるのに適合している。
【００３３】
圧力兼扁平化手段の第一の変形において、圧力兼扁平化手段は開口部に対して容器を変形させる際に作動するプランジャーを備えている。
【００３４】
圧力兼扁平化手段の第二の変形において、圧力兼扁平化手段は少なくとも二つの対抗するシリンダを備え、この二つのシリンダは容器の変形可能な壁に対して、および開口部に対して、垂直にかつ互いに並列に移動する。
【００３５】
圧力兼扁平化手段の第三の変形において、圧力兼扁平化手段は少なくとも一つのシリンダを備え、このシリンダは、容器の変形可能な壁に対して、分配システムの固定された変形不能な壁に対しておよび開口部に対して下方に向かって、同時にかつ垂直に移動する。
【００３６】
圧力兼扁平化手段の第四の変形において、圧力兼扁平化手段は、プランジャーにより作動する連接棒−ハンドル機構のハンドルを備え、このプランジャーは、容器の変形可能な壁に対して、分配システムの固定された変形不能な壁に対しておよび開口部に対して圧力を同時に作用させるのに適合している。
【００３７】
圧力兼扁平化手段の第五の変形において、圧力兼扁平化手段は、少なくとも一つのシリンダにより作動する板を備え、この板は容器の変形可能な壁に対して、および分配システムの固定された変形不能な壁に対して、圧力を同時にかつ垂直に作用させる。
【００３８】
当業者は、本発明の方法、装置および容器が全体として一つの発明概念に集約し、この発明概念により、前述の欠点が解決できることを理解している。さらに、本発明の適用範囲は、塗料と染料での使用に限定されず、類似のレオロジーの製品および類似の分配問題を有する塗料と染料の使用に拡張することができる。
【発明を実施するための最良の形態】
【００３９】
本発明を、図に基づき以下に詳しく説明する。
【実施例】
【００４０】
図１〜４において、本発明による容器１，２，３，４，１０は、様々な形状を採用してよいことがわかる。本発明の容器１，２，３，４，１０は、特に−専用にではないが−本方法による続いて起こる分配に関しては、グラフィック業界において、および本発明の装置において使用されるべきインクの貯蔵に適用可能である。
【００４１】
公知の形状のこの分配方法は、容器１，２，３，４，１０内にインクを供給する工程と
分配システムにおいて容器１，２，３，４，１０を使用する工程とを備えている。この分配システムはタンク６を備え、そこでインク量が注入される。
【００４２】
本発明の方法の実施形態の場合、容器１，２，３，４，１０は変形可能な壁と出口を有する。
【００４３】
このように、本発明によれば、さらに本方法は容器１，２，３，４内にインクを供給する工程と、分配システム５において、その一部が満たされたあるいは満杯の容器１，２，３，４を支持する工程と、容器１，２，３，４の出口を開口する工程と、圧力兼扁平化手段を使用して、容器壁１，２，３，４に対して、及び開口部に対して、圧力を作用させる工程とを備えている。
【００４４】
このように、結合した圧縮作用が、開口部に対して、壁を偏平化することにより変形させることができるので、容器１，２，３，４内に含まれたインクを押し、それにより、上手い具合に測定されかつ制限されたインク量が流出する。
【００４５】
このように、結合した圧縮作用が、インク分配システムを、弾性的な、合成樹脂のあるいは紙の容器であってもよい容器での配設と結合させ、それにより除去されるべき染料あるいは塗料の缶をコストをかけて処理することができる。
【００４６】
本発明による容器の例は、実質的に円筒形の袋１、たとえば、任意の手段、例えば熱溶接により閉じた縦方向端部３３，３４を備えた合成樹脂、アルミニウムあるいは紙の材料の袋（図１）と、前述のものと似ているがその両端の一方においてネジキャップ７を備えた袋２（図２）と、両端に突き出た突起部８を備えた、正方形の前面型式と実質的に長円形の側面型式の袋３（図３）と、図３のものと似ているがその両端の一方においてネジキャップ７を備えた袋２（図４）である。
【００４７】
本発明の容器１，２，３，４，１０は、前述のネジキャップ７のような出口開口手段を備えていてもよい。図５は一例を示しており、容器出口はネジキャップ７を備え、このネジキャップは従来型でもよい。
【００４８】
開口手段は、（図示していない）“プッシュプル”型の装置を備えていてもよく、出口周囲の部材を引っ張ると出口は開き、前記部材を押すと閉じる。
【００４９】
容器１，２，３，３の出口は、出口連結手段により分配システム５の固定された部分に完全に連結する。
【００５０】
図６は、下側弁９を備えた、開口手段の実施例を示しており、この下側弁の弁本体は容器の内側に接続する内部空域１１を備え、弁の封止部材１３はキャップ１４であり、このキャップは最大開口の位置と閉じた位置との間で移動可能であり、封止部の広い底部１５は弁出口とほぼ同じ高さであり、容器を閉じている。
【００５１】
封止部材１３は、作動ロッド１６に連結しており、この作動ロッドは弁本体の前記内部円筒形空域の内部を通って延びており、かつタペット１７によりバネ１８の作用に抗して作動する。
【００５２】
本発明のインク分配の場合、容器１，２，３，４，１０と協働して使用されるための本方法を実施するための装置は、インク容器１，２，３，４，１０用の支持手段と、インク分配手段と、タンク６とを備えており、インク容器１，２，３，４からのインク量が注入される。さらに、装置は容器出口開口手段と、容器の変形可能な壁と前記容器出口に対して圧力を作用させるための手段とを備えており、従ってこれまで述べたように、扁平化させることにより、開口部に対して、変形可能なインク容器１，２，３，４の壁を変形させることができるので、結合した圧縮作用はインク容器１，２，３，４内に含まれたインクを押し、それによりインク量は前記タンク６の方へ流出する。
【００５３】
装置は、容器１，２，３，４上に圧力のための作動時間制御手段と扁平化手段とを備えているのが好ましい。圧力手段の作動時間制御手段により、圧力を作用させる工程は、前もって決めた時間に行われ、前記インク量は前記前もって決めた時間に従う。さらにこの方法は、分配時間制御工程を選択的に備えてもよく、前記前もって決めた時間は、制御手段により制御される。
【００５４】
制御手段に関して予想される可能性は、制御手段が容器出口１，２，３，４に存在するインクの重量を測定するための手段であることである。したがって、制御手段は分配されるインクの量を制御する。このように、前記時間制御工程は、出口から流出するインクの重量の測定を含んでいる。
【００５５】
別の可能性は、例えばタンク６内においてインクの高さを一定に保てるように、タンク６において、容器出口から流出するインク量の分配される流体の高さ測定手段を備えることにある。
【００５６】
図示した実施例において、開口手段は低い位置に配置されており、圧力兼扁平化手段は、容器１，２，３，４の変形可能な壁に対して下方に向かって圧力を作用させるようになっている。
【００５７】
図７は第一実施例を示しており、圧力兼扁平化手段はプランジャー１９を備え、このプランジャーは容器１０の開口部に抗して容器を変形させる際に働き、この容器は分配システム５の壁２０の間で保持されている。
【００５８】
図８は第二実施例を示しており、圧力兼扁平化手段は、少なくとも二つの対抗するシリンダ２１，２２を備え、この二つのシリンダは容器１０の変形可能な壁に対して、および開口部に対して互いに垂直かつ並列に移動する。この扁平化はシリンダ２１，２２が平行に下がることにより生じる。
【００５９】
図９は第三実施例を示しており、圧力兼扁平化手段は、少なくとも一つのシリンダ２３を備え、このシリンダは容器１０の変形可能な壁に対して、分配システム５の変形不能な固定された壁２０に対して、および開口部に対して下方に向かって、同時かつ垂直に移動する。  
【００６０】
図１０は第四実施例を示しており、圧力兼扁平化手段は、連接棒２５−ハンドル２４機構のハンドル２４を備え、この連接棒２５−ハンドル２４機構は、プランジャーにより作動し、このプランジャーは、容器１０の変形可能な壁に対して、分配システム５の変形不能な固定された壁２０に対して、および開口部に対して同時に圧力を作用させるのに適合している。ハンドル２４は容器１０の変形を容易にするために湾曲部を若干有する。
【００６１】
図１１は第五実施例を示しており、圧力兼扁平化手段は、板２６を備え、この板は少なくとも一つのシリンダ２７により作動し、このシリンダは容器１０の変形可能な壁に対して、および分配システムの変形不能な固定された壁２０に対して、同時かつ垂直に圧力を作用させる。
【００６２】
図１２は、特に印刷体（printing body）のシステムに合わせた本発明の特定の応用例を示す。一般的に、このシステムは下方タンク６から成り、インク２９の高さ２８は維持されている。幾つかのローラー３０，３１，３２がインク２９を最終支持部まで移送し、ローラーの最後の画像は、例えば転写により印刷される。この特定の適用例において、特定のケースが示してあり、印刷体のシステムが分配装置に適用されている。ここで圧力兼扁平化手段は、二つの対抗するシリンダ２１，２２を備え、容器１０はネジキャップ７を備えている。
【００６３】
本発明はインク分配装置に関連して説明してきたが、さらに塗料および塗料を製造するための塩基性染料の分配装置、ならびに他の類似のレオロジーの製品にも適用可能である
。
【００６４】
特許請求された容器、方法および装置は、全体として一つの発明概念を構成している。というのも特許請求された三つの分野は各々、残りの二つの概念に使用する場合に思いつかれ考案されるからである。
【図面の簡単な説明】
【００６５】
【図１】本発明のインク容器の様々な変形に対応している概略図である。
【図２】本発明のインク容器の様々な変形に対応している概略図である。
【図３】本発明のインク容器の様々な変形に対応している概略図である。
【図４】本発明のインク容器の様々な変形に対応している概略図である。
【図５】インク容器出口開口手段の他の変形を示す二つの概略図である。
【図６】インク容器出口開口手段の他の変形を示す二つの概略図である。
【図７】本発明の装置の圧力兼扁平化手段の様々な実施形態を示す概略正面図である。
【図８】本発明の装置の圧力兼扁平化手段の様々な実施形態を示す概略正面図である。
【図９】本発明の装置の圧力兼扁平化手段の様々な実施形態を示す概略正面図である。
【図１０】本発明の装置の圧力兼扁平化手段の様々な実施形態を示す概略正面図である。
【図１１】本発明の装置の圧力兼扁平化手段の様々な実施形態を示す概略正面図である。
【図１２】印刷機本体システムに対する本発明の適用例を示す図である。
【図１】
2006523554.tif 000003
【図２】
2006523554.tif 000004
【図３】
2006523554.tif 000005
【図４】
2006523554.tif 000006
【図５】
2006523554.tif 000007
【図６】
2006523554.tif 000008
【図７】
2006523554.tif 000009
【図８】
2006523554.tif 000010
【図９】
2006523554.tif 000011
【図１０】
2006523554.tif 000012
【図１１】
2006523554.tif 000013
【手続補正書】
【提出日】平成17年12月15日(2005.12.15)
【手続補正１】
【補正対象書類名】図面
【補正対象項目名】図１２
【補正方法】追加
【補正の内容】
【図１２】
2006523554.tif 000014
【国際調査報告】
2006523554.tif 000015
2006523554.tif 000016
2006523554.tif 000017
2006523554.tif 000018